(57)【要約】【課題】画像読取り方式と非接触通信方式の両方に対応できるリーダ装置に対して、画像読取り方式と非接触通信方式のうち目的とする通信方式で容易に通信することができる携帯端末を提供する。【解決手段】携帯端末に、データ読取りに用いられる画像を表示面に表示できる表示手段と、アンテナにより非接触でデータを送信する非接触データ送信手段と、自己の姿勢を検知する姿勢検知手段と、前記姿勢検知手段が所定の姿勢を検知したときに前記非接触データ送信手段によるデータ送信を禁止する非接触データ送信禁止手段とを備えた。【選択図】図３
2008199331.tif 000002
【特許請求の範囲】
【請求項１】
データ読取りに用いられる画像を表示面に表示できる表示手段と、
アンテナにより非接触でデータを送信する非接触データ送信手段と、
自己の姿勢を検知する姿勢検知手段と、
前記姿勢検知手段が所定の姿勢を検知したときに前記非接触データ送信手段によるデータ送信を禁止する非接触データ送信禁止手段とを備えた
携帯端末。
【請求項２】
前記所定の姿勢を、前記表示面が下方または斜め下方を向いた姿勢とした
請求項１記載の携帯端末。
【請求項３】
開状態のときに前記表示面が露出し、閉状態のときに前記表示面が内側にたたまれる折りたたみ開閉部を備え、
前記所定の姿勢を、前記開状態となって前記表示面が露出した姿勢とした
請求項１記載の携帯端末。
【発明の詳細な説明】
【技術分野】
【０００１】
この発明は、例えば携帯電話機やＰＤＡ（Personal Digital Assistants）のような携帯端末に関する。
【背景技術】
【０００２】
従来、携帯電話機やＰＤＡといった携帯端末が提供されており、これらの携帯端末は、例えば携帯電話機であれば非接触ＩＣ機能が搭載される、ＰＤＡであれば無線通信機能が搭載されるなど、年々多機能化している。
【０００３】
このような携帯端末として、接触通信と非接触通信の両機能を有し、外部機器との意図しない通信を防止するために、非接触通信禁止手段としてスイッチを設けた携帯端末が開示されている（特許文献１参照）。前記スイッチには、機械的操作スイッチの他、各種リレーやバリキャップダイオード等が使用されている。これにより、意図しない取引や決済処理を防止できるとされている。
【０００４】
【特許文献１】特開２００５−２２２０９７号公報
【発明の開示】
【発明が解決しようとする課題】
【０００５】
しかし、上述した公知例は、非接触通信を利用する際にスイッチを操作して禁止解除する煩わしさを伴うものであり、また、バーコード等の画像を読取る画像読取り方式と非接触通信方式の両方に対応する装置に適したものではなかった。  
詳述すると、画像読取り方式と非接触通信方式の両方に対応する携帯端末を使用し、画像読取り方式と非接触通信方式の両方に対応するリーダ装置にデータを読取らせるとき、環境としてはどちらの方式であってもデータを読取らせることができる。ここで、リーダ装置に携帯端末からバーコード等の画像を読取らせるためには、携帯端末の表示画面とリーダ装置の読取り面とを近接させて正面対向させる必要が生じる。一方、非接触通信方式は、画像読み取り方式よりも広範囲で通信可能で、しかも正面対向させずとも様々な角度で通信可能である。このため、携帯端末から画像をリーダ装置に読取らせようとしても、非接触通信方式での通信が先に実行されてしまうことがある。そうすると、画像から読取るべきデータと異なるデータをリーダ装置が非接触通信方式で読取ることになり、必要なデータが得られずにエラーになってしまうことになる。
【０００６】
この発明は、上述の問題に鑑み、画像読取り方式と非接触通信方式の両方に対応できるリーダ装置に対して、画像読取り方式と非接触通信方式のうち目的とする通信方式で容易に通信することができる携帯端末を提供することを目的とする。
【課題を解決するための手段】
【０００７】
この発明は、データ読取りに用いられる画像を表示面に表示できる表示手段と、アンテナにより非接触でデータを送信する非接触データ送信手段と、自己の姿勢を検知する姿勢検知手段と、前記姿勢検知手段が所定の姿勢を検知したときに前記非接触データ送信手段によるデータ送信を禁止する非接触データ送信禁止手段とを備えた携帯端末であることを特徴とする。
【０００８】
前記データ読取りに用いられる画像は、二次元バーコードや一次元バーコード等、スキャニングによってデータ化できる画像で構成することができる。  
前記非接触データ送信手段は、アンテナによりデータを非接触で送信する非接触ＩＣなど、非接触でデータ送信できる手段で構成することができる。
【０００９】
前記非接触データ送信禁止手段は、前記非接触ＩＣの有効／無効を切り替える切り替えスイッチなど、前記非接触データ送信手段でデータ送信できない状態にする手段で構成することができる。
【００１０】
この発明により、リーダ装置に画像を読取らせたいときに、先に非接触データ送信手段による送信データがリーダ装置に読取られてしまうことを防止できる。
【００１１】
この発明の態様として、前記所定の姿勢を、前記表示面が下方または斜め下方を向いた姿勢とすることができる。  
これにより、画像を読取らせようとして表示面を下方または斜め下方に向けたときに非接触データ送信手段によるデータ送信が禁止される。従って、利用者は、特別な操作をせずとも、画像をリーダ装置に読取らせようとする通常の動作をするだけで、非接触データ送信手段の送信データがリーダ装置に先に読取られてしまうことを防止できる。
【００１２】
またこの発明の態様として、開状態のときに前記表示面が露出し、閉状態のときに前記表示面が内側にたたまれる折りたたみ開閉部を備え、前記所定の姿勢を、前記開状態となって前記表示面が露出した姿勢とすることができる。
【００１３】
これにより、画像を読取らせようとして表示面を露出させたときに非接触データ送信手段によるデータ送信が禁止される。従って、利用者は、特別な操作をせずとも、画像をリーダ装置に読取らせようとする通常の動作をするだけで、非接触データ送信手段の送信データがリーダ装置に先に読取られてしまうことを防止できる。
【発明の効果】
【００１４】
この発明により、画像読取り方式と非接触通信方式の両方に対応することができる携帯端末を提供することができる。
【発明を実施するための最良の形態】
【００１５】
この発明の一実施形態を以下図面と共に説明する。  
【実施例１】
【００１６】
図１（Ａ）はリーダ装置３０と開状態で下向けた携帯電話機１を上から見た平面図であり、図１（Ｂ）はリーダ装置３０と閉状態の携帯電話機１を側面から見た側面図であり、図１（Ｃ）は開状態の携帯電話機１を側面から見た側面図である。
【００１７】
リーダ装置３０は、上面に略水平なバーコード読取り面３１が設けられ、その下方にアンテナ３２が設けられている。このリーダ装置は、バーコード読取り面３１にバーコードがかざされるとバーコードデータを読取ることができる。また、非接触通信範囲に非接触ＩＣのアンテナが入ると非接触ＩＣデータを読取ることができる。
【００１８】
携帯電話機１は、入力キーなどが配置されている入力側筐体３と、ＬＣＤ１５が設けられている表示側筐体２とがヒンジ５により折りたたみ開閉可能に枢着されている。ＬＣＤ１５は、図１（Ｂ）に示す閉状態では視認できないように、表示側筐体２の折りたたみ内面側に設けられている。入力側筐体３の内部には、非接触ＩＣ２３が埋設されている。この非接触ＩＣ２３は、データを記憶するメモリー部、および非接触通信するアンテナ部を有している。
【００１９】
図２は、携帯電話機１のブロック図を示す。  
携帯電話機１は、ＣＰＵ１１、インターフェース１２，１３、メモリー１４、ＬＣＤ１５、マイク１６、スピーカ１７、操作ボタン１８、アンテナ１９、電池２０、振動モータ２１、カメラ２２、非接触ＩＣ２３、および姿勢検知スイッチ２４が備えられている。
【００２０】
ＣＰＵ１１は、インターフェース１２，１３を介して各制御を行い、携帯電話機１全体を制御する。また、メモリー１４を一次記憶領域として利用する。このＣＰＵ１１は、姿勢検知スイッチ２４から受信した検知信号に基づいて、携帯電話機１が所定の姿勢となったときに非接触ＩＣ２３の有効／無効を切り替える切替処理も実行する。この切替処理では、例えばＬＣＤ１５の表示面の向きが鉛直下方の向きから縦横いずれでも４５°程度傾斜した向きまでの範囲にある姿勢のときに無効に切り替え、それ以外の姿勢のときに有効に切り替えるとよい。
【００２１】
ここで４５°程度の傾斜としているのは、リーダ装置３０がバーコードを読取り可能な傾斜角度（例えば３０°程度）になるよりも前に非接触ＩＣ２３を無効とすることで、リーダ装置３０にバーコードを読ませる確実性を高めるためである。
【００２２】
インターフェース１２，１３は、ＣＰＵ１１と他の装置とを接続している。また、インターフェース１３は、非接触ＩＣ２３の有効／無効を切り替える切替スイッチも有しており、ＣＰＵ１１の制御信号によって非接触ＩＣ２３の有効／無効を切り替える。
【００２３】
ＬＣＤ１５は、バーコードデータなどのデータを画像表示し、バーコード表示などを行う。  
マイク１６は、利用者が音声通話等に利用するマイクであり、周囲の音を集音してＣＰＵ１１に送信する。
【００２４】
スピーカ１７は、利用者が音声通話等に利用するスピーカであり、ＣＰＵ１１から受け取った音声信号にしたがって音声を鳴らす。  
操作ボタン１８は、入力側筐体３に設けられており、数字入力や文字入力のために押下された押下信号をＣＰＵ１１に送信する。
【００２５】
アンテナ１９は、携帯電話会社の基地局と無線通信し、遠隔地との通話やインターネットとの通信を可能にする。従って、携帯電話機１は、通話だけでなく、インターネットで提供されるコンテンツの表示や電子メールの送受信を行うことができる。例えばある店のホームページで二次元バーコードなどのバーコードを表示するページがあるとすると、利用者は、携帯電話機１で当該ページにアクセスし、そのバーコードをＬＣＤ１５に表示するといったことができる。
【００２６】
電池２０は、充電可能な二次電池で構成されており、各部に動作電力を供給する。
【００２７】
振動モータ２１は、着信時などに振動するモータであり、ＣＰＵ１１の制御信号によって駆動する。
【００２８】
カメラ２２は、静止画と動画を撮影できるデジタルカメラであり、撮影した画像と映像をＣＰＵ１１に送信する。
【００２９】
非接触ＩＣ２３は、データを記憶するチップ部と非接触通信用のアンテナ部とで構成されている。この非接触ＩＣ２３は、ＣＰＵ１１およびインターフェース１３によって有効／無効が切り替えられる。この非接触ＩＣ２３は、有効となっているときにリーダ装置３０から応答要求を受けると非接触通信を実行するが、無効となっているときにリーダ装置３０から応答要求を受けても応答しない。
【００３０】
姿勢検知スイッチ２４は、例えばＧセンサで構成されており、携帯電話機１の傾きを検知して検知信号をＣＰＵ１１に送信する。
【００３１】
図３は、携帯電話機１の動作を示すフローチャートである。  
携帯電話機１のＣＰＵ１１は、電源がＯＮされると、非接触ＩＣ２３を有効にする（ステップＳ１）。
【００３２】
姿勢検知スイッチ２４が所定の姿勢（この実施例ではＬＣＤ１５の表示面が鉛直下方から４５°程度傾斜した姿勢）を検知してＯＮになると（ステップＳ２：ＹＥＳ）、ＣＰＵ１１は非接触ＩＣ２３を無効に切り替える（ステップＳ３）。そして、ＣＰＵ１１は、姿勢検知スイッチ２４がＯＮか否か判定し、ＯＮでなければ（つまり所定の姿勢でなければ）ステップＳ１に処理を戻す（ステップＳ４：ＮＯ）。
【００３３】
姿勢検知スイッチ２４がＯＮであるか（ステップＳ４：ＹＥＳ）、前記ステップＳ２で姿勢検知スイッチ２４がＯＦＦであれば（ステップＳ２：ＮＯ）、ＣＰＵ１１は、電源ＯＦＦとなるまでステップＳ２に処理を戻す（ステップＳ５：ＮＯ）。電源ボタンが押下されると（ステップＳ５：ＹＥＳ）、ＣＰＵ１１は処理を終了して電源をＯＦＦする。
【００３４】
以上の構成および動作により、利用者は、携帯電話機１にてバーコードを表示してリーダ装置３０に読取らせることができ、また非接触ＩＣ２３でリーダ装置３０に非接触でデータを読取らせることができる。
【００３５】
ＬＣＤ１５に表示したバーコードをリーダ装置３０に読取らせるときは、図４に示すようにＬＣＤ１５が下方を向くように携帯電話機１を傾けると、その途中のポジションＰ２あるいはＰ３の段階で非接触ＩＣ２３が無効になる。そして、非接触通信範囲Ｅの中に携帯電話機１が入るときには既に非接触ＩＣ２３が無効となって反応せず、さらにＬＣＤ１５をリーダ装置３０のバーコード読取り面３１に正面対向させると、バーコードがリーダ装置３０に読取られる。従って、利用者はバーコードを読取らせる際に、非接触ＩＣ２３を無効にするなどの特別な操作をせずとも、リーダ装置３０にバーコードを確実に読取らせることができる。また、リーダ装置３０も、バーコードを読取る前に読取り可能範囲（非接触通信範囲Ｅ）がバーコードよりも広範囲である非接触ＩＣ２３と非接触通信してしまってエラーとなる心配がなく、スムーズな利用を行うことができる。
【００３６】
また、非接触ＩＣ２３からリーダ装置３０にデータを読取らせるときは、ＬＣＤ１５が下方に向いていない状態で携帯電話機１を移動させて非接触通信範囲Ｅの内側に位置させるだけで良い。これにより、非接触ＩＣ２３を利用するときも、利用者はスムーズに利用することができる。
【００３７】
このようにして、例えばＡ店ではリーダ装置３０にバーコードを読取らせる必要があり、同機種のリーダ装置３０を導入しているＢ店では非接触ＩＣ２３を読取らせる必要がある場合にも、利用者は１つの携帯電話機１で便利に利用することができる。
【００３８】
また、リーダ装置３０に特に改良を行う必要がないため、利用者は、バーコードと非接触ＩＣを共用できる携帯電話機１を取得すれば、この携帯電話機１を既存のリーダ装置３０にすぐに使用することができる。
【００３９】
なお、以上の実施形態では、リーダ装置３０におけるバーコード読取り面３１を略水平としたが、例えば１０°〜２０°程度傾斜させてもよい。この場合、非接触ＩＣ２３の有効／無効の切り替えは、上述したようにＬＣＤ１５の表示面の向きが鉛直下方より４５°程度傾斜した姿勢で実行する、あるいはさらに強く傾斜した姿勢で実行するなど、適宜の姿勢で実行する設定にするとよい。
【００４０】
また、この実施例では折りたたみ開閉タイプの携帯電話機１を用いたが、開閉しないタイプの携帯電話機や、スライド開閉するタイプの携帯電話機を用いてもよい。この場合でも、ＬＣＤ１５の表示面が所定の角度となったときに非接触ＩＣ２３を無効にでき、上述した効果を得ることができる。
【実施例２】
【００４１】
次に、実施例２として、フリップ（表示側筐体２）の開閉によって非接触ＩＣ２３の有効／無効を切り替える場合について説明する。  
図５は、実施例２の携帯電話機１ａのブロック図を示し、図６は携帯電話機１ａの動作のフローチャートを示す。
【００４２】
この携帯電話機１ａは、実施例１の携帯電話機１の姿勢検知スイッチ２４の変わりにフリップ開検知スイッチ２５が設けられている。このフリップ開検知スイッチ２５は、フリップとなる表示側筐体２（実施例１の図１参照）が開となっているか否かを検知し、この検知信号をＣＰＵ１１に送信する。  
その他の構成は、実施例１と同一であるので、同一要素に同一符号を付して詳細な説明を省略する。
【００４３】
図６のフローチャートに示すように、携帯電話機１ａのＣＰＵ１１は、電源がＯＮされると、非接触ＩＣ２３を有効にする（ステップＳ１１）。
【００４４】
フリップ開検知スイッチ２５が表示側筐体２の開を検知してＯＮになると（ステップＳ１２：ＹＥＳ）、ＣＰＵ１１は非接触ＩＣ２３を無効に切り替える（ステップＳ１３）。そして、ＣＰＵ１１は、フリップ開検知スイッチ２５がＯＮか否か判定し、ＯＮでなければ（つまり表示側筐体２が閉であれば）ステップＳ１１に処理を戻す（ステップＳ１４：ＮＯ）。
【００４５】
フリップ開検知スイッチ２５がＯＮであるか（ステップＳ１４：ＹＥＳ）、前記ステップＳ１２でフリップ開検知スイッチ２５がＯＦＦであれば（ステップＳ１２：ＮＯ）、ＣＰＵ１１は、電源ＯＦＦとなるまでステップＳ１２に処理を戻す（ステップＳ１５：ＮＯ）。電源ボタンが押下されると（ステップＳ１５：ＹＥＳ）、ＣＰＵ１１は処理を終了して電源をＯＦＦする。
【００４６】
以上の構成および動作により、利用者は携帯電話機１ａを用いてリーダ装置３０にバーコードを読取らせる、あるいは非接触ＩＣ２３と非接触通信させることができる。そして、バーコードを読取らせる際には、表示側筐体２を開く必要があるため、この開く動作によって非接触ＩＣ２３が無効となり、リーダ装置３０にバーコードを確実に読取らせることができる。つまり、バーコードを読ませたいにもかかわらず非接触ＩＣ２３と非接触通信してしまってエラーになるという事態を回避できる。
【００４７】
なお、上述した実施例１と実施例２を組み合わせ、フリップ開検知スイッチ２５がＯＮとなり、かつＬＣＤ１５の表示面が所定の角度となったときに非接触ＩＣ２３を無効に切り替える構成としてもよい。この場合、ＬＣＤ１５の表示面が下方に向いていても、ＬＣＤ１５が内側に折りたたまれた状態であれば非接触ＩＣ２３を有効とすることができ、また開状態でＬＣＤ１５が露出していても、ＬＣＤ１５の表示面が所定の角度に傾けられていなければ非接触ＩＣ２３を有効とできる。従って、非接触ＩＣ２３を無効とする機会を必要最小限に減らすことができる。
【００４８】
この発明の構成と、上述の実施形態との対応において、
この発明の携帯端末は、実施形態の携帯電話機１，１ａに対応し、
以下同様に、
折りたたみ開閉部は、ヒンジ５に対応し、
非接触データ送信禁止手段は、ステップＳ３，Ｓ１３を実行するＣＰＵ１１に対応し、
表示手段は、ＬＣＤ１５に対応し、
非接触データ送信手段は、非接触ＩＣ２３に対応し、
姿勢検知手段は、姿勢検知スイッチ２４またはフリップ開検知スイッチ２５に対応し、
データ読取りに用いられる画像は、バーコードに対応し、
所定の姿勢は、ＬＣＤ１５の表示面が鉛直下向きから４５°傾斜した姿勢、あるいは携帯電話機１ａが開状態の姿勢に対応するが、
この発明は、上述の実施形態の構成のみに限定されるものではなく、多くの実施の形態を得ることができる。
【図面の簡単な説明】
【００４９】
【図１】携帯電話機とリーダ装置の説明図。
【図２】携帯電話機のブロック図。
【図３】携帯電話機の動作のフローチャート。
【図４】携帯電話機とリーダ装置の説明図。
【図５】実施例２の携帯電話機のブロック図。
【図６】実施例２の携帯電話機の動作のフローチャート。
【符号の説明】
【００５０】
１，１ａ…携帯電話機、５…ヒンジ、１１…ＣＰＵ、１５…ＬＣＤ、２３…非接触ＩＣ、２４…姿勢検知スイッチ、２５…フリップ開検知スイッチ
【図１】
2008199331.tif 000003
【図２】
2008199331.tif 000004
【図３】
2008199331.tif 000005
【図４】
2008199331.tif 000006
【図５】
2008199331.tif 000007
【図６】
2008199331.tif 000008